(57)【要約】      （修正有）【課題】存在感や意匠性を損なうことなくシール状写真を掲示することができるとともに、掲示した複数のシール写真のなかから任意の写真を容易に交換することを可能にする。【解決手段】フォトフレーム１は、外周壁に、基端部が突出方向及び厚み方向に垂直な幅方向にくびれた凸部５、及び／又は凸部５と略同形状をなし凸部５と嵌合する凹部６を備え、複数個を面状に並べてジグソーパズル状に連結可能に構成されている。表面２ａ側から裏面２ｂ側へ貫通する窓８を備えることが好ましい。【選択図】図２
2014004231.tif 000002
【特許請求の範囲】
【請求項１】
外周壁に、基端部が突出方向及び厚み方向に垂直な幅方向にくびれた凸部、及び／又は前記凸部と略同形状をなし前記凸部と嵌合する凹部を備え、
複数個を面状に並べてジグソーパズル状に連結可能に構成されたフォトフレーム。
【請求項２】
表面側から裏面側へ貫通する窓を備える請求項１に記載のフォトフレーム。
【発明の詳細な説明】
【技術分野】
【０００１】
この発明は、写真やシール等を掲示するフォトフレームに関する。
【背景技術】
【０００２】
従来、利用者が撮影した画像をシール状写真として提供する遊戯機が人気を博している。かかるシール状写真は、専用のノートやストックブックに貼付して収集するほか、標準サイズの写真同様フォトフレームに収納して飾る楽しみ方があり、例えば、特許文献１には、２枚のフレームを開閉自在に蝶つがいで連結したシール状写真用のフォトフレームが提案されている。
【０００３】
しかし、シール状写真は、通常１枚が３〜４ｃｍ角程度と小さいため、特許文献１のように２枚だけを並べて展示しても、全体としてサイズが小さいため存在感に欠けるという不都合がある。
【０００４】
また、普通サイズの写真用のフォトフレームや絵画用フレームの台紙に多数枚を貼付して掲示すれば、全体として存在感のある展示物にすることができるが、見た目が煩雑になって意匠性に欠けるという不都合や、台紙に貼付されたシール状写真を１枚だけ交換する場合、わざわざ台紙をフォトフレームから取り出す必要があるという不都合があった。
【先行技術文献】
【特許文献】
【０００５】
【特許文献１】実用新案登録第３１５６２５０号
【発明の概要】
【発明が解決しようとする課題】
【０００６】
本発明は、上記課題に鑑みてなされたものであり、シール状写真を存在感及び意匠性を損なうことなく展示することが可能であり、複数枚掲示した写真から任意の写真を容易に交換可能なフォトフレームの提供を目的とする。
【課題を解決するための手段】
【０００７】
上記課題を解決するためになされた発明は、外周壁に、基端部が突出方向及び厚み方向に垂直な幅方向にくびれた凸部、及び／又は前記凸部と略同形状をなし前記凸部と嵌合する凹部を備え、複数個を面状に並べてジグソーパズル状に連結可能に構成されたフォトフレームである。
【０００８】
このように、本発明のフォトフレームは、凸部の基端側が、当該凸部の突出方向及び厚み方向に垂直な幅方向にくびれているとともに、凹部がこの凸部の形状と略同形状を有していることで、連結したフォトフレームが上下又は左右方向に分離することがない。
また、フォトフレームをジグソーパズル状に並べて連結することができるため、多数のシール状写真を面状に並べて展示することができる。
【０００９】
本発明のフォトフレームは、表面側から裏面側へ貫通する窓を備えることが好ましい。こうすることで、例えば、この窓の表面側から裏面側へ先端がＬ字状に曲った棒状金具を差し込み、このＬ字状に曲った先端部を裏面に引っかけて当該金具を前方へ引っ張ることで、上下左右に全てフォトフレームが連結されている場合であってもフォトフレームを手前側に引っ張って取り外すことができる。
【発明の効果】
【００１０】
本発明のフォトフレームによれば、存在感や意匠性を損なうことなくシール状写真を掲示することができるとともに、複数の写真のなかから任意の写真を容易に交換することができる。
【図面の簡単な説明】
【００１１】
【図１】本発明の一の実施形態に係る写真フレームの（ａ）表面側から見た斜視図、（ｂ）裏面側から見た斜視図である。
【図２】図１のフォトフレームを載置して展示する様子を示した説明図である。
【図３】図１のフォトフレームをジグソーパズル状に複数連結して壁に掲示した様子を示す説明図である。
【発明を実施するための形態】
【００１２】
以下、適宜図面を参照しながら、本発明の実施形態について詳述する。図１は、本発明の一の実施形態に係るフォトフレーム１である。フォトフレーム１は、図１に示すように、矩形をなすフレーム本体２と、透明カバー３と、支持脚４（図１（ｂ）参照）とを備えている。
【００１３】
フレーム本体２は、樹脂により概ね矩形に一体成型され、詳細には、図１に示すように、裏面側が開口した扁平の箱型をなしている。フレーム本体２は、表面２ａ側からみて上側及び右側の側壁（特許請求の範囲における「外周壁」）の略中央に凸部５を備えており、下側及び左側の側壁の略中央に凹部６を備えている。凸部５の基端部５ａは、凸部５の突出方向及び厚み方向に垂直な幅方向にくびれた形状を有しており、凹部６は、凸部５と略同形状をなし凸部５と嵌合可能に構成されている。ただし、凸部５及び凹部６は、上記の位置に限らず、フレーム本体２の４つの側壁のうちいずれの位置に設けられてもよく、また、凸部５又は凹部６がフレーム本体２に少なくとも１つ設けられていればよい。
【００１４】
フレーム本体２の表面２ａの中央には、図１（ａ）に示すように、写真を嵌めこんで展示するための矩形に凹んだ掲示部７が設けられている。掲示部７の底面の上端部及び右端部には、それぞれ矩形の窓８が設けられている。また、掲示部７の上下の内壁には、後述する透明カバー３の係合片３ａを挿入するスリット７ａが設けられている。
【００１５】
フレーム本体２の裏面２ｂには、図１（ｂ）に示すように、窓８の位置にフック９が設けられており、裏面２ｂ側から見て下側及び右側の端部には、支持脚４を刺し込むための断面６角形の差し込み穴１０が設けられている。裏面２ｂ右側の差し込み孔１０に隣接して、この差し込み辺１０とで支持脚４を挟持するための挟持片１１が設けられている。
【００１６】
透明カバー３は、透明な樹脂によりフレーム本体２の掲示部７に略隙間なく嵌り込む矩形の板状に成形されている。透明カバー３は、上下の端辺にフォト本体２のスリット７に挿入する係合片３ａを備えている。
【００１７】
次に、フォトフレーム１の使用方法及び作用効果について説明する。図２は、フォトフレーム１を単独で机上等に載置する場合を示している。この場合、まず、支持脚４をフレーム本体２から取り外し、支持脚４をフレーム本体２の裏側から窓８へ差し込み、表面２ａの掲示部７に嵌めこまれている透明カバー３を突き出す。次に掲示部７へシール状写真を嵌め入れ、透明カバー３の係合片３ａを掲示部７のスリット７ａに差し込んで透明カバー３で写真を被覆する。支持脚４は、フレーム本体２の裏面２ｂの差し込み孔１０に差し込む。すると、図２に示すように、フォトフレーム１を載置面に載置することができる。
【００１８】
図３は、複数のフォトフレーム１を凸部５及び凹部６により矩形の面状に連結して、壁Ｗに掲示した様子を示している。この場合、壁Ｗに打ち込まれた釘等に裏面２ｂのフック９を引き掛ける。複数のフォトフレーム１を矩形に連結する際に、周囲を他のフォトフレーム１に囲まれて、手でつかめない状態となったフォトフレーム１を取り外す際には、例えば、透明カバー３やシール状写真を外した状態であれば、Ｌ字型の金具を窓８（図１参照）の手前側から挿入して、先端の折れ曲がり部分をフレーム本体２の裏面に引っかけてＬ字金具を表面側へ引っ張って取り外すことができる。
【００１９】
本発明のフォトフレーム１は、上記の実施形態に限られるものではなく、フレーム本体２の４つの側壁のうち少なくとも１つに凸部５又は凹部６が有ればよい。カバー３や支持脚４、窓８、フック９は省略することができる。凸部５の形状は、基端部にくびれ部を有するものであれば、図示したトラック形ではなく、円形や台形その他の形状を採用することができる。フレーム本体の全体形状は、矩形に限らず、本発明の趣旨を逸脱しない範囲であれば、直線及び／又は曲線で囲まれた公知のいかなる形状とすることもできる。掲示する写真は、シール状写真に限らない。
【産業上の利用可能性】
【００２０】
本発明のフォトフレームによれば、存在感や意匠性を損なうことなくシール状写真を掲示することができるとともに、掲示した複数のシール写真のなかから任意の写真を容易に交換することができるため、シール状写真を掲示するためのフォトフレームに好適に採用することができる。
【符号の説明】
【００２１】
１  フォトフレーム
５  凸部
５ａ  基端部
６  凹部
８  窓
【図１】
2014004231.tif 000003
【図２】
2014004231.tif 000004
【図３】
2014004231.tif 000005